(57)【要約】【課題】使用者との接触時に、使用者が不快感を覚えることを抑制することができる便器用吸液具を提供する。【解決手段】便器用吸液具１は、帯状の吸液部１１の表面部及び上端部を透液部１２が覆ってなり、便器２１の上部外周面２１ａに装着される。上部外周面２１ａを伝って便器用吸液具１に付着した尿、又は、直接的に便器用吸液具１に付着した尿は、透液部１２を透過して吸液部１１に吸収される。故に、使用者の皮膚又は衣服等が、尿を吸収した吸液部１１に直接的に接触することが抑制される。また、透液部１２に尿が残留することがないので、使用者が尿に直接的に接触することが抑制される。以上の結果、便器用吸液具１に接触した使用者が不快感を覚えることが抑制される。【選択図】図３
2015213646.tif 000002
【特許請求の範囲】
【請求項１】
帯状の吸液部を備える便器用吸液具において、
少なくとも、前記吸液部の一面及び幅方向の一端部を覆う透液部と、
該透液部及び前記吸液部を、便器の外周面に着脱可能に装着するための装着部と
を備えることを特徴とする便器用吸液具。
【請求項２】
前記透液部は、前記吸液部の両面及び幅方向の両端部を覆っていることを特徴とする請求項１に記載の便器用吸液具。
【請求項３】
前記透液部は、不織布を扁平筒状にしてなり、
前記吸液部は、前記透液部の内部に収容されており、
前記装着部は、前記透液部に配されていることを特徴とする請求項１又は２に記載の便器用吸液具。
【請求項４】
前記吸液部は、１枚の吸水紙を折り畳んで複数層状にしてなることを特徴とする請求項１乃至３の何れか一項に記載の便器用吸液具。
【請求項５】
前記装着部は、前記吸液部の他面側に配されており、前記外周面に着脱可能に粘着する粘着部であることを特徴とする請求項１乃至４の何れか一項に記載の便器用吸液具。
【発明の詳細な説明】
【技術分野】
【０００１】
本発明は、便器に装着される便器用吸液具に関する。
【背景技術】
【０００２】
便器の外周面には、尿が付着し易い。故に、便器外周面に便器用吸液具が装着されることがある（特許文献１〜３参照）。
特許文献１に記載の便器用吸液具（文中「便器の尿垂れ防止具」）は、帯状の吸水パッドを有し、便器上部の便器外周面に装着される。
特許文献２に記載の便器用吸液具（文中「尿垂れ防止具」）は、リング状の尿垂れ防止部を有し、便器の上下方向中央部に装着される。
特許文献３に記載の便器用吸液具（文中「薄型吸液性汚れ防止シート」）は、帯状のシート本体を有し、便器下部の便器外周面から床面に亘って装着される。
【０００３】
便器用吸液具は、便器外周面を伝って便器用吸液具に付着した尿、又は、直接的に便器用吸液具に付着した尿を吸収する。この結果、便器外周面に付着した尿が、便器外周面を伝って床面を汚損すること（いわゆる尿垂れ）が抑制される。
【先行技術文献】
【特許文献】
【０００４】
【特許文献１】実用新案登録第３０８７１０７号公報
【特許文献２】特開２００７−２０５１０７号公報
【特許文献３】特開２００９−１５３９３４号公報
【発明の概要】
【発明が解決しようとする課題】
【０００５】
洋式便器は、上部に開口を有する。従って、最も尿が付着し易い部分は、便器外周面の上部（以下、上部外周面という）である。
ところが、特許文献２，３に記載の便器用吸液具は、何れも上部外周面から離隔配置される。故に、上部外周面に付着した尿が便器用吸液具に吸収されることなく上部外周面に残留する虞がある。また、便器外周面を伝った尿が、上部外周面から便器用吸液具へ至るまでの広範囲を汚損する虞がある。
以上のことから、便器用吸液具は、特許文献１に記載の便器用吸液具のように、上部外周面に装着してあることが望ましい。
【０００６】
とはいえ、特許文献１に記載の便器用吸液具は、使用者と接触し易い。特に、尿を吸収した吸水パッドに接触した場合、使用者が不快感を覚え得る。
特許文献１には、非帯状の複数個の吸水パッドと、これらを保持する保持帯とを備える便器用吸液具が記載してある。保持帯を用いた場合、吸水パッドの一面は保持帯に覆われ、他面は便器外周面に接触する。この結果、尿を吸収した吸水パッドと使用者との直接的な接触が抑制される。
【０００７】
しかしながら、特許文献１に記載の便器用吸液具においては、保持帯は吸水パッドの一面（即ち、便器外周面に接触していない方の面）を覆うのみである。故に、保持帯と便器外周面との間から使用者の皮膚又は衣服等が吸水パッドの上端部に直接的に接触する可能性がある。
また、特許文献１には保持帯の材質は記載されていない。故に、保持帯は防水性を有しているかもしれない。防水性を有する保持帯に付着した尿は吸水パッドに吸水されないので、保持帯に付着した尿が使用者に接触する虞がある。
【０００８】
本発明は斯かる事情に鑑みてなされたものであり、その主たる目的は、使用者との接触時に、使用者が不快感を覚えることを抑制することができる便器用吸液具を提供することにある。
【課題を解決するための手段】
【０００９】
本発明に係る便器用吸液具は、帯状の吸液部を備える便器用吸液具において、少なくとも、前記吸液部の一面及び幅方向の一端部を覆う透液部と、該透液部及び前記吸液部を、便器の外周面に着脱可能に装着するための装着部とを備えることを特徴とする。
【００１０】
本発明に係る便器用吸液具は、前記透液部は、前記吸液部の両面及び幅方向の両端部を覆っていることを特徴とする。
【００１１】
本発明に係る便器用吸液具は、前記透液部は、不織布を扁平筒状にしてなり、前記吸液部は、前記透液部の内部に収容されており、前記装着部は、前記透液部に配されていることを特徴とする。
【００１２】
本発明に係る便器用吸液具は、前記吸液部は、１枚の吸水紙を折り畳んで複数層状にしてなることを特徴とする。
【００１３】
本発明に係る便器用吸液具は、前記装着部は、前記吸液部の他面側に配されており、前記外周面に着脱可能に粘着する粘着部であることを特徴とする。
【００１４】
本発明にあっては、吸液部の一面及び幅方向の一端部を透液部が覆っている。
従って、吸液部の他面側を便器外周面に向け、吸液部の幅方向の一端部を上側に向けて便器用吸液具を便器外周面に装着すれば、便器外周面を伝って便器用吸液具に付着した尿、又は、直接的に便器用吸液具に付着した尿は、透液部を透過して吸液部に吸収される。
【００１５】
故に、便器用吸液具が上部外周面に装着してあっても、便器用吸液具に接触した使用者が不快感を覚えることが抑制される。何故ならば、使用者の皮膚又は衣服等が、尿を吸収した吸液部に直接的に接触することが抑制されるからである。
また、透液部に尿が残留することがないので、使用者等が、尿に直接的に接触することが抑制される。
【００１６】
本発明にあっては、吸液部の両面及び幅方向の両端部を透液部が覆っている。
従って、吸液部の幅方向の両端部の内、何れを上側に向けて便器用吸液具を便器外周面に装着しても、使用者等が、尿を吸収した吸液部に直接的に接触することが抑制される。つまり、便器用吸液具の便器に対する装着方向が限定されないので、便器用吸液具の装着時における使用者の利便性が向上する。
また、吸液部と便器外周面との間に透液部が介在するので、吸液部と便器外周面との間に浸入した尿は、透液部によって速やかに吸液部に導かれる。
【００１７】
本発明にあっては、不織布を用いてなる扁平筒状の透液部の内部に吸液部が収容されている。即ち、透液部によって吸液部の両面及び幅方向両端部を容易に覆うことができる。
また、装着部は透液部に配されている。従って、装着部が吸液部に配されている場合に比べて、装着部が吸液部による尿の吸収を阻害することが抑制される。
不織布はサラッとした肌触りであるので、使用者が便器用吸液具に触れても不快感を与えることがない。
【００１８】
本発明にあっては、複数層状の吸水紙を用いて吸液部を構成することにより、吸液部の給水能力が向上する。
また、１枚の吸水紙を折り畳んで複数層状にすることは、複数枚の吸水紙を複数層状にする場合に比べて、吸液部の形成及び保形が容易である。
【００１９】
本発明にあっては、装着部が粘着部であるので、便器外周面に対する便器用吸液具の着脱が簡便である。
【発明の効果】
【００２０】
本発明の便器用吸液具による場合、透液部を透過した尿を吸液部が吸収するので、尿垂れを抑制することができる。
また、本発明の便器用吸液具を、最も尿が付着し易い上部外周面に装着することができる。従って、上部外周面に付着した尿が便器用吸液具に吸収されることなく上部外周面に残留すること、及び、便器外周面を伝った尿が、上部外周面から便器用吸液具へ至るまでの広範囲を汚損すること等が抑制される。
【００２１】
更に、使用者が便器用吸液具に接触しても、使用者と尿を吸収した吸液部との間に透液部が介在するので、使用者が尿を吸収した吸液部に直接的に接触することが抑制される。
しかも、透液部は尿を吸液部に導くので、透液部自体に尿が残留し、残留した尿が使用者に付着することが抑制される。
以上の結果、便器用吸液具に触れた使用者の不快感を軽減することができる。しかも、便器外周面及び床面を清潔に保つことができる。
【図面の簡単な説明】
【００２２】
【図１】本発明の実施の形態に係る便器用吸液具を便器の上部外周面に装着する様子を説明するための斜視図である。
【図２】便器用吸液具が便器の上部外周面に装着されている状態を略示する正面図である。
【図３】便器用吸液具の構成を略示する縦断面図である。
【発明を実施するための形態】
【００２３】
以下、本発明を、その実施の形態を示す図面に基づいて詳述する。以下の説明では、図において矢符で示す上下、前後、及び左右を使用する。
【００２４】
図１は、本発明の実施の形態に係る便器用吸液具１を便器２１の上部外周面２１ａ（各後述）に装着する様子を説明するための斜視図である。
図２は、便器用吸液具１が便器２１の上部外周面２１ａに装着されている状態を略示する正面図である。
図１及び図２は、各後述する便座２２と便蓋２３とが上げられている状態のトイレ２を略示する斜視図及び正面図でもある。図２においては、便蓋２３の図示は省略してある。
【００２５】
図３は、便器用吸液具１の構成を略示する縦断面図である。図３は、図２に示す便器用吸液具１におけるIII −III 線の断面図でもある。
図３では、各後述する吸液部１１と透液部１２との間に空隙が設けてあるが、この空隙は、図を見やすくするために設けたものである。実際には吸液部１１と透液部１２とは接触している。
同様に、図３では、後述する装着部１３，１３が吸液部１１又は透液部１２と同程度の厚みを有し、透液部１２の裏面部１２２と上部外周面２１ａとの間に空隙が設けてあるが、これらは図を見やすくするためのものである。実際には装着部１３，１３夫々の厚みは吸液部１１又は透液部１２夫々の厚みと比べて無視できるほど薄く、透液部１２の裏面部１２２と上部外周面２１ａとは接触している。
【００２６】
まず、トイレ２の構成について説明する。
トイレ２は、一般的な洋式のものである。トイレ２は、便器２１、便座２２、及び便蓋２３を備えている。
便器２１は、洋式便器である。便器２１は、上部に開口２ａを有する。便器２１の開口２ａを縁取る上縁２ｂは、帯状の平坦面である。
便器２１の後部には、左右方向を軸長方向とした枢軸２１０が配されている。
【００２７】
便座２２はＯ型便座である。便座２２は、環状の板状をなす。
便座２２の中央部には、便器２１の開口２ａに対応して、空孔２２０が設けられている。
便座２２の後部は、枢軸２１０を介して便器２１に回動可能に支持されている。故に、便座２２は、便座２２の前部を上げ下げすることによって、枢軸２１０を中心に揺動可能である。
便器２１に対面する立ち姿勢にてトイレ２を使用する場合、便座２２は上げられる。
便座２２に着座してトイレ２を使用する場合、便座２２は下げられる。下げられている便座２２の下面（以下、便座裏という）は、便器２１の上縁２ｂに対面する。
【００２８】
便座２２の便座裏には、４個の弾性突起２２１，２２１，…が突設してある。弾性突起２２１，２２１，…は、便器２１の上縁２ｂに接触して、便座２２を支持する。
弾性突起２２１，２２１，…は、便座２２の便座裏の左部及び右部に、２個ずつ適長離隔配置されている。便座２２の先端部及び基端部（即ち、下げられている便座２２の前端部及び後端部）には、弾性突起２２１，２２１，…は配されていない。
【００２９】
便座２２が下げられたときの便座２２と便器２１との衝突は、弾性突起２２１，２２１，…によって緩和される。下げられている便座２２の下面と便器２１の上縁２ｂとの間には、弾性突起２２１，２２１，…が介在により、隙間ａが生じる。
【００３０】
便蓋２３は、便座２２を覆う卵型の板状をなす。便蓋２３の基端部は、枢軸２１０を介して便器２１に回動可能に支持されている。故に、便蓋２３の先端部が下げられると、下方へ揺動した便蓋２３によって便座２２が被覆される。一方、便蓋２３の先端部が上げられると、便蓋２３が上方へ揺動し、便座２２から離隔する。
なお、トイレ２は、図示しない洗浄装置を備えていてもよい。洗浄装置は図示しない噴射ノズルを備えている。噴射ノズルは、便器２１の内部に対して出没する。便器２１の内部に突出した噴射ノズルからは、局部又は肛門を洗浄する洗浄用水が噴射される。
【００３１】
一般に、男性の小用は、便座２２を上げて便器２１に対面する立ち姿勢にてなされる。このとき、尿の一部が便器２１の上縁２ｂに付着し、更に、便器２１の外周面２１ｂへ伝い落ちることがある。
下げられている便座２２の便座裏と便器２１の上縁２ｂとの間には、弾性突起２２１，２２１，…の突出量に応じた隙間ａが生じる。故に、便座２２への着座姿勢にて小用がなされた場合、便器２１の内部に受容されるべき尿の一部が便器２１と便座２２との隙間ａを経て便器２１の外周面２１ｂへ伝い落ちることがある。
【００３２】
トイレの洗浄装置は、局部又は肛門を洗浄する洗浄用水を噴射する。トイレ２が洗浄装置付きである場合、洗浄用水の一部が便器２１と便座２２との隙間ａを経て便器２１の外周面２１ｂへ伝い落ちることがある。
以下では、尿及び洗浄用水等を総称して液体という。
便器２１の外周面２１ｂへ伝い落ちた液体は、外周面２１ｂ上を下降して外周面２１ｂを汚損し、更には床面に到達して床面をも汚損する虞れがある。
【００３３】
このような問題を解消するために、本実施の形態の便器用吸液具１が、便器２１の外周面２１ｂの上部（即ち、上部外周面２１ａ）に装着される。
次に、便器用吸液具１の構成について説明する。
便器用吸液具１は、吸液部１１、透液部１２、及び装着部１３，１３を備えている。
吸液部１１は、帯状になしてある。吸液部１１の長手方向の長さは、一般的な便器２１の外周面２１ｂの半周以上の長さであり、例えば約90cmである。吸液部１１の幅方向は上下方向に等しい。
【００３４】
吸液部１１は、吸液部１１よりも幅広の帯状の１枚の吸水紙を用いてなる。この吸水紙は、幅方向に３分割された位置で折り畳まれている。このため、吸液部１１は、元の吸水紙の幅方向一端部を含む第１層部１１１と、元の吸水紙の幅方向中央部を含む第２層部１１２と、元の吸水紙の幅方向他端部を含む第３層部１１３とを有する複数層状である。
吸液部１１の第１層部１１１は吸液部１１の裏面部を構成する。吸液部１１の第２層部１１２は吸液部１１の表面部を構成する。吸液部１１の第３層部１１３は第１層部１１１と第２層部１１２とに挟まれている。第１層部１１１と第２層部１１２との境界部分は、吸液部１１の上端部を構成している。第２層部１１２と第３層部１１３との境界部分は、吸液部１１の下端部を構成している。
【００３５】
なお、便器用吸液具１は、１枚の吸水紙を用いてなる複数層状の吸液部１１に替えて、複数枚の吸水紙を用いてなる複数層状の吸液部を備えていてもよい。
しかしながら、吸液部１１には、複数枚の吸水紙を用いてなる複数層状の吸液部に比べて、形成及び保形が容易であり、しかも吸水性が高いという利点がある。
仮に、複数枚の吸水紙を接合して複数層状にする場合、吸液部を構成する部品点数が増大する。また、吸液部を保形するために吸水紙同士を接合すれば、接合手段（例えば接着剤又はクリップ等）によって、吸液部の吸水が阻害されたり、便器用吸液具１が無用に大型化したりする虞がある。
【００３６】
便器用吸液具１は、吸水紙を用いてなる吸液部１１に替えて、吸水性を有する帯状の芯材と、この芯材に担持された吸水ポリマ粒子とを用いてなる吸液部を備えていてもよい。
しかしながら、このような吸液部は、例えば廃棄時に吸水ポリマ粒子が散乱する虞がある。つまり、吸液部１１の方が取り扱いが容易である。
【００３７】
透液部１２は扁平筒状になしてある。透液部１２の長手方向両端部は閉塞されている。透液部１２の軸長方向は、吸液部１１の長手方向に等しい。
透液部１２の内部には、吸液部１１が収容されている。つまり、透液部１２は、吸液部１１全体（具体的には、吸液部１１の表裏両面及び上下両端部）を覆っている。透液部１２の内面と、少なくとも吸液部１１の表裏両面とは接触している。更に、透液部１２の内面と、吸液部１１の上下端部とが接触していることが望ましい。
【００３８】
透液部１２は不織布を用いてなる。この不織布は、吸液部１１を構成する吸水紙よりも幅広、且つ、長手方向が長い帯状である。この不織布は、吸液部１１を構成する吸水紙と同様にして、幅方向に３分割された位置で折り畳まれている。
透液部１２は、元の不織布の幅方向一端部を含む第１面部と、元の不織布の幅方向他端部を含む第３面部とが厚さ方向に重ねられて接合（接着又は熱圧着等）してある。透液部１２の表面部１２１は、元の不織布の幅方向中央部を含む第２面部によって構成されている。透液部１２の裏面部１２２は、接合された第１面部及び第３面部によって構成されている。
透液部１２の長手方向両端部においては、元の不織布の第１面部、第２面部、及び第３面部が厚さ方向に重ねられて接合（接着又は熱圧着等）してある。
【００３９】
装着部１３，１３は、夫々吸液部１１の裏面側に配されている。更に詳細には、装着部１３，１３は、透液部１２の裏面部１２２の外面側に形成してある２本の薄層状且つ直条状の粘着部である。各装着部１３は、透液部１２の裏面部１２２の外面に、適宜の接着剤が塗布されることによって形成されている。
各装着部１３の長手方向は、吸液部１１の長手方向に等しい。各装着部１３は、便器２１の外周面２１ｂに着脱可能に粘着する。換言すれば、装着部１３，１３は、吸液部１１及び透液部１２を、便器２１の外周面２１ｂに着脱可能に装着するためのものである。
【００４０】
装着部１３の厚みは可能な限り薄い方がよい。仮に、装着部１３が過剰に分厚い場合、装着部１３がスペーサとして機能し、透液部１２の裏面部１２２と便器２１の上部外周面２１ａとを離隔させてしまう虞がある。すると、便器２１の外周面２１ｂを伝う液体が、透液部１２に接触することができず、吸液部１１に吸収されない。
【００４１】
本実施の形態では、透液部１２が吸液部１１の裏面部も覆っているが、透液部１２が吸液部１１の裏面部を覆っていない場合には、装着部１３，１３は吸液部１１の裏面部に形成されていてもよい。とはいえ、装着部１３，１３が形成された吸液部１１は、装着部１３，１３が形成されていないものよりも劣りがちである。何故ならば、一般に、装着部１３，１３は吸水を阻害するからである。
つまり、装着部１３，１３を透液部１２に形成することによって、装着部１３，１３が吸液部１１による吸水を阻害することが抑制される。
便器用吸液具１の使用前には、装着部１３，１３を保護すべく、図示しない剥離紙が透液部１２の裏面部１２２を覆っている。
【００４２】
次に、便器２１の上部外周面２１ａに対する便器用吸液具１の装着について説明する。
使用者は、まず、透液部１２の裏面部１２２を覆っている剥離紙を取り外す。
次に、使用者は、便器用吸液具１の長手方向中央部を、便器２１の上部外周面２１ａにおける前端部に位置合わせする。
次いで、使用者は、便器用吸液具１の上端部が便器２１の上縁２ｂの外側端部に近接配置されるようにして、装着部１３，１３を上部外周面２１ａに押し付ける。このとき、装着部１３，１３が上部外周面２１ａに粘着する。
以上の結果、透液部１２の裏面部１２２が便器２１の上部外周面２１ａに接触した状態で、便器用吸液具１が上部外周面２１ａに装着される。
【００４３】
なお、便器用吸液具１は、透液部１２に替えて、吸液部１１の下端部を覆っていない透液部を備えていてもよい。この場合、吸液部１１の透液部に覆われていない部分が上側に向かないようにして便器用吸液具１を便器２１に装着する必要がある。
換言すれば、透液部１２を備える便器用吸液具１は、天地逆転して便器２１に装着しても特段の問題はないので、装着手順が簡易である。
【００４４】
また、便器用吸液具１は、装着部１３，１３に替えて、透液部１２の長手方向両端部を連結する弾性紐状（例えばゴム紐状）の装着部を備えていてもよい。この場合、便器用吸液具１は環状をなし、装着部の伸縮を利用して便器２１に回し掛けられる。弾性紐状の装着部を備える便器用吸液具１には、便器用吸液具１の表面側及び裏面側の何れを便器２１側に向けても特段の問題はない、という利点がある。
【００４５】
しかしながら、弾性紐状の装着部を備える便器用吸液具１は、装着部１３，１３を備える便器用吸液具１に比べれば、便器２１に対する着脱が困難である上に、便器２１の形状によっては、便器用吸液具１を回し掛けることができない虞がある。
換言すれば、装着部１３，１３を備える便器用吸液具１は、便器２１に対する着脱が簡便であり、装着の可否が便器２１の形状に左右されにくい。
【００４６】
次に、便器用吸液具１による吸液について説明する。
便器用吸液具１に降り掛かった液体は、まず、透液部１２に接触する。透液部１２に接触した液体は、透液部１２を透過して吸液部１１に接触し、吸収される。換言すれば、便器用吸液具１に接触した液体は、透液部１２に導かれて吸液部１１に吸収される。
透液部１２の裏面部１２２は便器２１の上部外周面２１ａに接触している。故に、上部外周面２１ａを伝った液体は、便器用吸液具１との接触により、透液部１２に導かれて吸液部１１に吸収される。
【００４７】
使用者は、液体を吸収した便器用吸液具１を取り外し、新たな便器用吸液具１を便器２１の上部外周面２１ａに装着する。
以上の結果、便器用吸液具１は、液体が便器２１の外周面２１ｂを伝い落ちて床面を濡らすこと（即ち尿垂れ）を抑制することができる。
便器用吸液具１の取り外しは、便器用吸液具１を交換する場合の他、便器２１を清掃する場合にも行なわれる。
【００４８】
ところで、便器用吸液具１は、便器２１の上部外周面２１ａ以外にも装着することができる。故に、便器用吸液具１の装着位置は、便器２１の上部外周面２１ａよりも下側でもよい。この場合でも、液体が便器２１の外周面２１ｂを伝い落ちて床面を濡らすことは抑制される。
しかしながら、便器用吸液具１と便器２１の上縁２ｂとが離隔するほど、液体が便器２１の便器２１の外周面２１ｂを伝う距離が長くなる。従って、便器用吸液具１よりも上側の外周面２１ｂが液体による汚損を受け易い。つまり、便器用吸液具１は、便器２１の上部外周面２１ａに装着することが最適である。
【００４９】
便器２１の上部外周面２１ａに装着されている便器用吸液具１は、使用者に接触し易い。しかしながら、液体を吸収した吸液部１１は、透液部１２に全体的に覆われている。このため、使用者の皮膚又は衣服等が、液体を吸収した吸液部１１に直接的に触れることはない。
仮に、使用者の皮膚が、液体を吸収した吸液部１１に直接的に触れた場合、使用者は湿った感触又は濡れた感触（ジメッとした肌触り）を覚える。このとき、使用者は不快感を覚える。
一方、使用者の皮膚が、液体を吸収した吸液部１１を覆っている透液部１２に直接的に触れた場合、使用者は乾いた感触（サラッとした肌触り）を覚える。何故ならば、透液部１２には液体が残留し難いからである。従って、使用者が不快感を覚えることが抑制される。
【００５０】
便器用吸液具１の裏面側及び下端部が使用者に接触することはない。故に、使用者に接触時の不快感を与えない目的を重視するのであれば、吸液部１１の裏面部及び下端部は透液部１２に覆われていなくても特段の問題はない。
しかしながら、便器用吸液具１の吸液性を高めるためには、吸液部１１の裏面部及び下端部が透液部１２に覆われていた方が有利である。何故ならば、透液部１２は、液体が吸液部１１に吸収されるまで、液体を保持することができるからである。
【００５１】
なお、便器用吸液具１は消臭性（特に、アンモニア臭に対する消臭性）を有していてもよい。このために、吸液部１１又は透液部１２が活性炭粉末又は消臭剤等を担持していてもよい。或いは、透液部１２が消臭性繊維を用いて構成されていてもよい。
便器用吸液具１は、ウォッシャブルであってもよい。この場合、便器２１から取り外した便器用吸液具１を洗浄し乾燥させて、繰り返し使用することができる。このために、吸液部１１は、例えば不織布、スポンジ、又はタオル等を用いてなる構成でもよい。ただし、吸液部１１及び透液部１２が共に不織布を用いてなる場合には、吸液部１１を構成する不織布の吸液性が透液部１２を構成する不織布の吸液性よりも高くなければならない。
便器用吸液具１は、洋式便器である便器２１に限定されず、例えば男性用小便器に装着されてもよい。
【００５２】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、便器用吸液具１に、実施の形態に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００５３】
１    便器用吸液具
１１  吸液部
１２  透液部
１３  装着部
【図１】
2015213646.tif 000003
【図２】
2015213646.tif 000004
【図３】
2015213646.tif 000005